(57)【要約】【課題】使用するマイコンポートや回路部品点数を削減しプリント基板を小型化・コストダウンするために、ポンプダウン運転の運転及び停止を行うための専用の操作手段を削除する。【解決手段】室外ユニットに複数個の温度検出手段７及び８、９と制御手段６を設け、前記複数個の温度検出手段を未接続にすることにより、ポンプダウン運転モードに入ることを前記制御手段６が認識し、ポンプダウン運転を起動し、かつ前記複数個の温度検出手段を再度接続することにより、ポンプダウン運転終了モードに入ることを前記制御手段６が認識しポンプダウン運転を任意の時間で停止させることができる。【選択図】図１
2006292241.tif 000002
【特許請求の範囲】
【請求項１】
室外ユニットと室内ユニットが分離して設置される空気調和機において、前記室外ユニット側に複数個の温度検出手段を備えた制御手段を有し、この制御手段は複数個の温度検出手段を未接続にすることでポンプ運転を起動し、所定の時間が経過後に前記複数個の温度検出手段を所定箇所に接続することでポンプダウン運転を停止させることを特徴とするポンプダウン機能付き空気調和機。
【発明の詳細な説明】
【技術分野】
【０００１】
本発明は、室内ユニットと室外ユニットが分離して設置される空気調和機のポンプダウン運転に関するものである。
【背景技術】
【０００２】
従来、この種の空気調和機にはサービス点検や移設時に冷媒を室外ユニット側に移送するいわゆるポンプダウン運転を行うために、室外ユニット側にポンプダウン運転専用の操作手段を備えている（例えば、特許文献１参照）。
【０００３】
図３は、特許文献１に記載された従来の空気調和機を示すものである。図３に示すように、室外ユニット１００と、室内ユニット２００が分離して設置される空気調和機において、室外ユニット１００側にポンプダウン運転を起動するための操作手段１３１を備え、前記操作手段１３１を介してポンプダウン運転を起動してから所定の時間経過した時にポンプダウン運転を停止させる制御手段１３２から構成されている。
【特許文献１】特開平５−１５７３８２号公報
【発明の開示】
【発明が解決しようとする課題】
【０００４】
しかしながら、前記従来の構成では、ポンプダウン運転を行なうために専用の操作手段を設ける必要があると共にマイコンにも専用ポートを一つ設ける必要があり、プリント基板のサイズ拡大やコストアップという課題を有していた。
【０００５】
本発明は、前記従来の課題を解決するもので、ポンプダウン運転を行なうための専用の操作手段を設けることなく且つ、使用するマイコンポート削減、回路部品点数削減を実現しプリント基板の小型化やコスト低減することを目的とする。
【課題を解決するための手段】
【０００６】
前記従来の課題を解決するために、本発明のポンプダウン運転機能付き空気調和機においては、室外ユニット側に複数個の温度検出手段を備えた制御装置を有し、前記複数個の温度検出手段を未接続にすることでポンプダウン運転モードに入ることを前記制御手段が認識し、ポンプダウン運転を起動し、任意の時間が経過後に前記複数個の温度検出手段を所定箇所に接続することでポンプダウン運転を自由に停止させるものである。
【０００７】
これによって、ポンプダウン運転を行うための専用の操作手段を設ける必要なくポンプダウン運転の起動及び停止を行うことが可能となる。
【発明の効果】
【０００８】
本発明のポンプダウン機能付き空気調和機は、ポンプダウン運転を行うための専用の操作手段を設けることなく制御手段にポンプダウン運転開始の制御信号を送ることが可能となり、ポンプダウン運転を行うことができ、かつポンプダウン運転終了の制御信号を送ることが可能となり、ポンプダウン運転を停止でき、マイコンポートの削減及び回路部品点数削減を実現しプリント基板のサイズ小型化やコスト低減、設計の自由度を増やすことができる。
【発明を実施するための最良の形態】
【０００９】
本発明は、室外ユニット側に複数個の温度検出手段を備えた制御装置を有し、前記複数個の温度検出手段を未接続にすることでポンプダウン運転モードに入ることを前記制御手
段が認識し、かつ任意の時間が経過後に前記複数個の温度検出手段を所定箇所に接続することでポンプダウン運転モードを終了することを前記制御手段が認識することにより、ポンプダウン運転の運転停止を行うことが可能となりマイコンポートの削減及び回路部品点数削減を実現しプリント基板のサイズ小型化やコスト低減、設計の自由度を増やすことができる。
【００１０】
以下、本発明の実施の形態について、図面を参照しながら説明する。なお、この実施の形態によって本発明が限定されるものではない。
【００１１】
（実施の形態１）
図１は、本発明の第１の実施形態におけるポンプダウン機能付き空気調和機のブロック図を示すものである。
【００１２】
図１において、１は室内ユニット側の電源回路手段であり、室内電源コンセントより供給される商用交流電源を整流し、２の室内制御手段へ供給している。また、３は受信手段であり、４の遠隔操作手段の信号を前記室内制御手段に伝達し室内ユニットを制御する。また、室外ユニット側にも電源回路手段５及び制御手段６を有するものである。また、７は温度検出手段１、８は温度検出手段２、９は温度検出手段ｎと複数個の検出手段が前記制御手段６に接続されている。また、圧縮機を駆動するとともに駆動フィードバック信号を検出する回路を備えた駆動手段１０、室外ファンモータを駆動するとともに駆動フィードバック信号を検出する回路を備えた駆動手段１１より構成している。以上のように構成されたポンプダウン機能付き空気調和機について、以下その動作、作用を説明する。
【００１３】
まず、本実施の形態１における動作の流れを示すフローチャート２を用いて制御流れを説明する。図２において最初に室内側に電源が投入され（ＳＴ１）、次に運転開始信号が入力されたかを判断し（ＳＴ２）、ＮＯの場合に温度検出手段７の入力があるかを判断する。（ＳＴ６）信号があれば前記ＳＴ２へ戻る。また、信号が無ければ温度検出手段８の入力があるかを判断する（ＳＴ７）。この時点で信号があれば前記温度検出手段７が異常であるため異常表示（ＳＴ８）を行い。運転停止（ＳＴ５）の状態を継続する。また、信号が無ければ次のＮ個目の温度検出手段９の入力があるかを判断する（ＳＴ９）。この時点で信号があれば前記温度検出手段７及び８が異常であるため異常表示（ＳＴ８）を行い運転（ＳＴ５）の状態を継続する。また、信号が無ければポンプダウン運転を開始する（ＳＴ１０）。
【００１４】
次に、温度検出手段７の入力があるかを判断する。（ＳＴ１１）信号が無ければこのルーチンを繰り返し、前記温度検出手段７に入力信号が入るまで待機する。次に、信号があれば温度検出手段８の入力があるかを判断する。（ＳＴ１２）。この時点で信号がなければ前記ポンプダウン運転を継続する必要があると判断し、前記ＳＴ１１へ戻る。また、信号があれば次のＮ個目の温度検出手段９の入力があるかを判断する（ＳＴ１３）。この時点で信号がなければまだ前記ポンプダウン運転を継続する必要があると判断し、前記ＳＴ１１へ戻る。また、信号があればこの時点ですべての前記温度検出手段７及び８、９が接続された状態となり、ポンプダウン運転を停止してよい状態になったと判断し、ポンプダウン運転を停止し（ＳＴ１４）、最初に戻る。前記（ＳＴ２）において運転開始信号があれば、通常運転を行い（ＳＴ３）、次運転停止信号が来るまでこの判断を繰返し行う（ＳＴ４）。次に運転停止信号が来れば運転を停止し（ＳＴ５）、最初に戻る。
【００１５】
以上のように、本実施の形態においては前記複数個の温度検出手段を未接続にすることでポンプダウン運転モードに入ることを前記制御手段が認識することにより、ポンプダウン運転を行うための専用の操作手段を設ける必要なくポンプダウン運転を行うことが可能となり、かつ前記複数個の温度検出手段を再度接続することでポンプダウン運転終了の制
御信号を送ることが可能となり、ポンプダウン運転を停止でき、マイコンポートの削減及び回路部品点数削減を実現しプリント基板のサイズ小型化やコスト低減、設計の自由度を増やすことができる。
【産業上の利用可能性】
【００１６】
以上のように、本発明にかかるポンプダウン機能付き空気調和機は、ポンプダウン運転を行うための専用の操作手段を設けることなく制御手段にポンプダウン運転開始及びポンプダウン運転停止の制御信号を送ることが可能となるので、多室型空気調和機の用途にも適用できる。
【図面の簡単な説明】
【００１７】
【図１】本発明の実施の形態１におけるポンプダウン機能付き空気調和機のブロック図
【図２】本発明の実施の形態１におけるポンプダウン機能付き空気調和機のフローチャート
【図３】従来のポンプダウン機能付き空気調和機の系統図
【符号の説明】
【００１８】
１  電源回路手段
２  室内制御手段
３  受信手段
４  遠隔装置手段
５  電源回路手段
６  制御手段
７  温度検出手段１
８  温度検出手段２
９  温度検出手段Ｎ
１０  圧縮機駆動手段
１１  室外ファンモータ駆動手段
【図１】
2006292241.tif 000003
【図２】
2006292241.tif 000004
【図３】
2006292241.tif 000005